(57)【要約】【課題】  既存の静電容量式指紋センサに適用でき、残留指紋の影響を受けず、指紋検出部の破損を防止できる感圧部材を提供する。また、残留指紋の影響を受けず、指紋検出部の破損を防止できる指紋センサおよび指紋センサモジュールを提供する。【解決手段】  本発明の感圧部材は、複数の検出電極がマトリクス状に配置されてなる静電容量式指紋センサの基板上に配置される感圧部材であり、前記感圧部材が、感圧領域を有する可撓性フィルムと、該可撓性フィルムの一面側に形成されるとともに前記基板に配置された際に前記検出電極と対向する可撓性電極と、前記基板上に配置された際に前記検出電極と前記可撓性電極とを離間させる支持部材とを備えてなることを特徴とする。【選択図】        図１
2006320484.tif 000002
【特許請求の範囲】
【請求項１】
複数の検出電極がマトリクス状に配置されてなる静電容量式指紋センサの基板上に配置される感圧部材であり、
前記感圧部材が、感圧領域を有する可撓性フィルムと、該可撓性フィルムの一面側に形成されるとともに前記基板に配置された際に前記検出電極と対向する可撓性電極と、前記基板上に配置された際に前記検出電極と前記可撓性電極とを離間させる支持部材と、を備えてなることを特徴とする感圧部材。
【請求項２】
前記感圧部材が前記静電容量式指紋センサに着脱可能に形成されてなることを特徴とする請求項１に記載の感圧部材。
【請求項３】
複数の検出電極がマトリクス状に配置されてなる基板を備えた静電容量式指紋センサと、
感圧領域を有する可撓性フィルムと該可撓性フィルムの一面側に形成された可撓性電極とからなり、前記可撓性電極を前記検出電極に対向させて前記基板上に配置される感圧部材と、
前記可撓性電極と前記検出電極とを離間させる支持部材と、が具備されてなることを特徴とする感圧式指紋センサ。
【請求項４】
前記感圧部材が前記静電容量式指紋センサに着脱自在に取り付けられてなることを特徴とする請求項３に記載の感圧式指紋センサ。
【請求項５】
前記基板を支持する筐体と、該筐体に前記感圧部材を固定する係止部材と、が具備されてなることを特徴とする請求項３または４に記載の感圧式指紋センサ。
【請求項６】
複数の検出電極がマトリクス状に配置されてなる基板と、
帯状の可撓性フィルムと該可撓性フィルムの一面側に形成された可撓性電極とからなり、少なくとも前記基板上において前記可撓性電極を前記検出電極に対向させて前記基板上に配置される帯状の感圧部材と、
前記基板上に前記帯状の感圧部材を順次送り出させる送出機構と、
前記可撓性電極と前記基板とを離間させる支持部材と、が具備されてなることを特徴とする指紋センサモジュール。
【請求項７】
前記可撓性フィルムに残された指紋情報の読み取りを不能にする読取防止機構が設けられてなることを特徴とする請求項６に記載の指紋センサモジュール。
【発明の詳細な説明】
【技術分野】
【０００１】
本発明は、感圧部材に係り、特に指紋センサに用いられる感圧部材に関する。また、この感圧部材を用いた感圧式指紋センサおよび指紋センサモジュールに関する。
【背景技術】
【０００２】
一般に、各種ゲートの入退室管理やコンピュータシステム等の個人認証として、指紋認識技術が利用されている。また、携帯電話やＩＣカードなどに実装される本人確認用の手段として、小型化および薄型化が可能な指紋センサが注目されている。
これらに使用される指紋センサとして、一般に静電容量式指紋センサと感圧式指紋センサとが知られている。静電容量式指紋センサは、被検出物である指の凹凸と検出体に形成された電極との静電容量を測定して、指紋形状を認識しようとするものである。また、感圧式指紋センサは、対向する複数の電極が備えられた検出体に被検出物である指を押圧し、指の凹凸に対応して対向する複数の電極の離間距離を変化させ、指紋形状を認識しようとするものである。
【０００３】
上述のような静電容量式指紋センサとしては、以下の特許文献１に記載の指紋入力装置１００が知られている。
この特許文献１には、図１２に示すように、指１０１を接触ないし近接させる主平面１０２の表面上に配列された電極１０３と、この電極１０３の各々に接続されるとともにこの電極１０３の静電容量を検出する回路１０４とからなる指紋入力装置１００が開示されている。
この指紋入力装置１００は、前記主平面１０２に指１０１を接触ないし近接させたときに検出される電極毎の静電容量が指紋パターンの凹凸に応じて異なることを利用して、静電容量の大小によって指紋の画像パターンを得るというものである。
【０００４】
また、上述のような感圧式指紋センサとしては、以下の特許文献２に記載の指紋検出装置１１０が知られている。
この特許文献２には、図１３に示すように、接触面１１１となる平面に指１１２が接触した場合にその指紋の凹凸パターンにより生じる圧力に基づいて厚みが変化する形状転写部１１３と、この形状転写部１１３の厚みの変化を静電容量の変化として検出し、静電容量の変化に基づいて指紋のパターンを検出する検出駆動回路部１１４とを有する指紋検出装置１１０が開示されている。
この形状転写部１１３は、指紋の凹凸パターンにより生じる圧力に基づいて厚みが変化する絶縁性の変形層１１５と、変形層１１５上に形成され、指紋の凹凸パターンにより生じる圧力に基づいて変形自在な可撓性電極１１６と、可撓性電極１１６を保護するために可撓性電極１１６上に形成された変形自在な表面保護層１１７とから構成されている。
また、検出駆動回路部１１４は、基板部材１１９と、その上部に形成された検出電極１１８と、検出電極１１８を保護する保護層１２０とから構成されており、検出駆動回路部１１４上には形状転写部１１３が配置されている。
【０００５】
この指紋検出装置１１０においては、指紋の凹凸パターンは、検出駆動回路部１１４の検出電極１１８上に絶縁性弾性層または絶縁性流動体層からなる変形層１１５を介して配置された可撓性電極１１６に転写される。すなわち、指を可撓性電極１１６の上から押し当てたとき、指紋の山部では押圧力が作用し、可撓性電極１１６は変形層１１５が潰れる方向に凹む。一方、指紋の谷部では押圧力は作用せず、変形層１１５からの反発力のみを受け、可撓性電極１１６は膨らむ。このようにして、可撓性電極１１６には指紋の凹凸パターンが転写され、アレイ状に配置された個々の検出電極１１８と可撓性電極１１６との間隔が指紋の凹凸パターンに応じて変化する。このような可撓性電極１１６の位置の変化は静電容量の変化として検出され、電気信号として出力されることによって、指紋の凹凸の画像パターンを得ている。
【特許文献１】特開平８−３０５８３２号公報
【特許文献２】特許第３１０２３９５号公報
【発明の開示】
【発明が解決しようとする課題】
【０００６】
ところで、上記の特許文献１に記載の指紋入力装置においては、指の表面が乾燥している場合には、指の表面が電極として機能しなくなり、指紋の凹凸に応じた容量を検出できなくなる虞があった。また、指の表面が湿潤な場合には、指紋の凹部が水分で埋まり、指の表面が平坦な電極となってしまい、指紋の凹凸に応じた静電容量を検出できなくなる虞があった。
さらに、指紋検出を行う際に検出電極の表面に被検出物である指を接触ないし近接させることにより、この検出電極の表面に汗や油等の異物が付着してしまい、いわゆる残留指紋を形成してしまう。そのため、新たに指紋を検出しようとした場合には、これらの付着物が検出されてしまい、被検出物である指が載置されていないにも係わらず、残留指紋が新たな指紋として検出されるなどの誤作動が発生する虞があった。
【０００７】
また、上記の特許文献２に記載の指紋検出装置においては、指紋検出を行う際に、形状転写部を指で押圧して撓ませて可撓性電極の位置を変化させる必要がある。この場合、指紋の凹凸の認識精度を向上させるために形状転写部を薄膜化することが望ましいが、逆にこれによって形状転写部の強度が低下するという虞があった。
さらに、形状転写部が検出駆動回路と一体に形成されているため、形状転写部の破損により指紋検出装置全体が使用不可能な状態になってしまうという問題があった。
【０００８】
本発明は、上記事情に鑑みてなされたものであって、既存の静電容量式指紋センサに適用でき、残留指紋の影響を受けず、指紋検出部の破損を防止できる感圧部材を提供することを目的とする。
また、残留指紋の影響を受けず、指紋検出部の破損を防止できる指紋センサおよび指紋センサモジュールを提供することを目的とする。
【課題を解決するための手段】
【０００９】
上記の目的を達成するために、本発明は以下の構成を採用した。
本発明の感圧部材は、複数の検出電極がマトリクス状に配置されてなる静電容量式指紋センサの基板上に配置される感圧部材であり、前記感圧部材が、感圧領域を有する可撓性フィルムと、該可撓性フィルムの一面側に形成されるとともに前記基板に配置された際に前記検出電極と対向する可撓性電極と、前記基板上に配置された際に前記検出電極と前記可撓性電極とを離間させる支持部材とを備えてなることを特徴とする。
【００１０】
かかる構成によれば、可撓性フィルムに指を押圧した際に、可撓性フィルムの一方の面に形成された可撓性電極が指の凹凸に対応して変形される。そのため、このような感圧部材を静電容量式指紋センサの基板上に配置すると、可撓性電極の各領域とマトリクス状に配置された検出電極との離間距離が変化し、指の凹凸を可撓性電極と検出電極との静電容量の大きさに反映させることが可能になる。
【００１１】
本発明の感圧部材は、前記感圧部材が前記静電容量式指紋センサに着脱可能に形成されてなることを特徴とする。
かかる構成によれば、静電容量式センサに感圧部材を取り付けるだけで、感圧式指紋センサを容易に構成することができ、また、感圧部材を取り外すことで静電容量式指紋センサとしても使用できる。さらに、感圧部材が損傷または劣化した場合でも、容易に交換を行うことができる。
【００１２】
本発明の感圧式指紋センサは、複数の検出電極がマトリクス状に配置されてなる基板を備えた静電容量式指紋センサと、感圧領域を有する可撓性フィルムと該可撓性フィルムの一面側に形成された可撓性電極とからなり、前記可撓性電極を前記検出電極に対向させて前記基板上に配置される感圧部材と、前記可撓性電極と前記検出電極とを離間させる支持部材と、が具備されてなることを特徴とする。
【００１３】
かかる構成によれば、静電容量式指紋センサの検出電極に対向した位置に感圧部材を配置することによって感圧式指紋センサとして使用することができる。すなわち、可撓性フィルムに指を押圧した際に、可撓性フィルムの一方の面に形成された可撓性電極が指の凹凸に対応して変形されることで、可撓性電極の各領域とマトリクス状に配置された検出電極との離間距離が変化するので、指の凹凸を可撓性電極と検出電極との静電容量の大きさに反映させることが可能になる。
【００１４】
本発明の感圧式指紋センサは、前記感圧部材が前記静電容量式指紋センサに着脱自在に取り付けられてなることを特徴とする。
かかる構成によれば、静電容量式指紋センサの検出電極に対向した位置に感圧部材を配置することによって感圧式指紋センサとして使用することができる。また、静電容量式指紋センサの検出電極に対向した位置から感圧部材を取り外すことによって、静電容量式指紋センサとして使用することができる。さらに、感圧部材が損傷または劣化した場合でも、容易に交換を行うことができる。
【００１５】
本発明の感圧式指紋センサは、前記基板を支持する筐体と、該筐体に前記感圧部材を固定する係止部材と、が具備されてなることを特徴とする。
かかる構成によれば、筐体と係止部材の間に感圧部材を配置することで、感圧部材を筐体に固定することができる。
【００１６】
本発明の指紋センサモジュールは、複数の検出電極がマトリクス状に配置されてなる基板と、帯状の可撓性フィルムと該可撓性フィルムの一面側に形成された可撓性電極とからなり、少なくとも前記基板上において前記可撓性電極を前記検出電極に対向させて前記基板上に配置される帯状の感圧部材と、前記基板上に前記帯状の感圧部材を順次送り出させる送出機構と、前記可撓性電極と前記基板とを離間させる支持部材と、が具備されてなることを特徴とする。
【００１７】
かかる構成によれば、送出機構を駆動させることによって、帯状の感圧部材が検出電極上に順次送り出される。検出電極上の感圧部材には、指紋検出のために指紋が随時付着されるが、感圧部材が順次送り出されるために、指紋の上に更に別の指紋が重なる虞がなく、指紋の重なりによる誤動作の発生が防止される。また、感圧部材が順次送り出されることで、付着された指紋が直ちに送出機構に回収され、指紋情報が写し取られる虞が少なく、指紋情報の悪用を防止することが可能になる。また、検出電極上に送り出された可撓性フィルムは支持部材によって張力が与えられているため、指紋を検出する領域における可撓性フィルムの捩れを防止することができる。
【００１８】
本発明の指紋センサモジュールは、前記可撓性フィルムに残された指紋情報の読み取りを不能にする読取防止機構が設けられてなることを特徴とする。
かかる構成によれば、使用済みの可撓性フィルム上に残された指紋情報を読取防止機構によって読み取り不能にすることで、指紋情報の悪用を防止できる。
【発明の効果】
【００１９】
以上に説明したように、本発明の感圧部材によれば、既存の静電容量式指紋センサに適用でき、残留指紋の影響を受けず、指紋検出部の破損を防止することができる。
本発明の感圧式指紋センサによれば、残留指紋の影響を受けず、指紋検出部の破損を防止することができる。また、感圧部材の着脱によって、感圧式指紋センサまたは静電容量式指紋センサとして使い分けることができる。
本発明の指紋センサモジュールによれば、残留指紋の影響を受けず、指紋検出部の破損を防止することができる。また、指紋を検出する領域の可撓性フィルムの捩れを防止することができる。さらに、指紋情報を破壊することによって、指紋情報の悪用を防止することができる。
【発明を実施するための最良の形態】
【００２０】
[第１の実施形態]
以下、本発明の第１の実施形態について図面を参照して説明する。
図１に本実施形態の感圧部材を用いた感圧式指紋センサを示す。この感圧式指紋センサ８０は、基板５１上に形成された検出電極５５を有する静電容量式指紋センサ５０と、可撓性フィルム１１とこの可撓性フィルム１１の一面側に形成された可撓性電極１２とからなる感圧部材１０と、この感圧部材１０の可撓性電極１２を検出電極５５に離間して配置させる支持部材１３とから構成されている。
【００２１】
図２に感圧部材１０の斜視図を示し、図３には感圧部材１０の断面図を示す。
感圧部材１０は、可撓性フィルム１１とその一方の面に形成された可撓性電極１２とから構成されている。可撓性フィルム１１は、指紋の凹凸に応じて変形するものであって、一辺が１０〜２０ｍｍの略正方形状に形成されており、膜厚は３〜３０μｍの範囲に設定されている。膜厚が３μｍ未満の場合には、可撓性フィルム１１の強度が不足するので好ましくない。また、膜厚が３０μｍを超える場合には、指紋の凹凸に可撓性フィルムの変形が追従しなくなり、指紋検出が困難になるので好ましくない。膜厚は４〜１０μｍに設定することがより好ましい。
可撓性フィルム１１としては、アラミドフィルムが好適に使用されるが、薄膜状に形成可能な樹脂材料からなるフィルムであれば特に制限なく使用できる。このようなフィルム材料としては、ポリイミド、ＰＥＮ、ＰＥＴなどが挙げられる。
【００２２】
可撓性電極１２は、感圧部材１０が静電容量式センサ５０に配置されたときに、静電容量検出用の電極となるものであり、一辺が１０〜２０ｍｍの略正方形状であって、膜厚が１０ｎｍ〜１μｍの範囲になるように金属を薄膜状に形成したものである。膜厚は１００〜２００ｎｍの範囲であることがより好ましい。電極材料としては、一般的な金属を使用することができ、銅、金、アルミニウム、クロム、チタンなどが好適に利用できる。
【００２３】
可撓性フィルム１１の可撓性電極１２が形成された側には、支持部材となる開口部１４を有する枠体１３が取り付けられている。枠体１３の開口部１４に対応する可撓性フィルム１１および可撓性電極１２の領域は感圧領域１５とされ、指紋検出の際に指が押圧される領域である。指紋検出の際に感圧領域１５を指で押圧すると、感圧領域１５の可撓性フィルム１１および可撓性電極１２は撓み、枠体１３の厚さ方向へ変形される。すなわち、図３において、可撓性フィルム１１および可撓性電極１２は枠体１３の開口部１４内に変形される。
枠体１３の可撓性フィルム１２と反対側には、静電容量式指紋センサ５０の基板５１に感圧部材１０を着脱自在に取り付けるための粘着材１６が塗布されている。
【００２４】
図４に静電容量式指紋センサ５０の構成概略図を示し、図５には本実施形態の感圧部材の第１の使用態様を示す。
この静電容量式指紋センサ５０は、シリコン基板５１上に、複数の行配線５２ａからなる行配線群５２と複数の列配線５３ａからなる列配線群５３とが格子状に形成され、それぞれの交点には選択用トランジスタ５４と静電容量生成用の検出電極５５とが配置されている。検出電極５５は、指紋の凹凸より小さな面積を有するように形成されている。また、選択用トランジスタ５４や検出電極５５を傷や汚れから保護するための保護膜５９が基板５１上に形成されている。
列配線５３ａは、選択用トランジスタ５４のゲートに接続され、高電位のときに選択用トランジスタ５４を導通させる選択線であり、列配線駆動部５６によって１本ずつ順次高電位とすることにより、全面を走査する。
行配線５２ａは、選択された列配線５３ａ上の検出電極５５と容量検出回路５７とを電気的に接続する信号読み出し線である。
【００２５】
容量検出回路５７の機能は例えば次のようにすれば実現できる。
初めに、すべての列配線５３ａを低電位として行配線５２ａを高電位にプリチャージする。次に、列配線５３ａの１本を高電位とし選択用トランジスタ５４を導通すると、感圧部材１０の可撓性電極１２と検出電極５５の静電容量によって行配線５２ａの電位は低下する。この電圧変化量は検出電極５５の静電容量と行配線５２ａの静電容量との結合容量で決まるので、容量検出回路５７で増幅すれば検出電極５５の静電容量として求めることができる。
【００２６】
次に、感圧式指紋センサの動作を説明する。図５に示すように、指紋の凹凸の検出に際して、予め、支持部材となる枠体１３に取り付けられた感圧部材１０を静電容量式指紋センサ５０の基板５１に粘着剤を用いて取り付けておく。
初めに、すべての列配線５３ａを高電位にして選択用トランジスタ５４を導通し、すべての検出電極５５を放電する。次に、可撓性フィルム１１を指で押圧することによって、可撓性フィルム１１および可撓性電極１２を基板５１側へ撓ませ、変形させる。これにより、可撓性電極１２と各検出電極５５との離間距離は、指紋の凹凸に対応して変化したことになり、可撓性電極１２と検出電極５５との間には空気コンデンサ５８が生じた状態となる。
【００２７】
次に、行配線５２ａを高電位にプリチャージし、続いて１番目の列配線５３ａを高電位にして、行配線５２ａの電圧低下を容量検出回路５７で検出・増幅する。このとき、検出電極５５上が指紋の凸部であれば、静電容量Ｃは大きく、行配線５２ａの電圧低下も大きい。一方、検出電極５５上が指紋の凹部や指の外周部であれば、静電容量Ｃは小さく、行配線５２ａの電圧低下も小さい。それらの結果は、容量検出回路５７より外部に読み出し、１番目の列配線５２ａに沿った凹凸パターンとして画像メモリに蓄える。
続いて、行配線５２ａを再びプリチャージし、２番目の列配線５３ａを高電位にして、静電容量を検出する。
これらの動作を全ての列配線５３ａに対して行うことによって、指紋全面の凹凸に対応した静電容量の分布パターンを画像メモリに蓄えることができる。
【００２８】
以上のように、静電容量式指紋センサ５０の基板５１に感圧部材１０を取り付けることによって、静電容量式指紋センサを感圧式指紋センサとして使用することができる。
また、本実施形態の感圧部材１０は、静電容量式指紋センサに取り付けられることによって静電容量式指紋センサを感圧式指紋センサとして使用可能にするものであり、このように構成した感圧式指紋センサから感圧部材１０を取り外すことによって、静電容量式指紋センサとして使用できることは言うまでも無い。すなわち、本実施形態の感圧部材１０は、その着脱によって静電容量式指紋センサや感圧式指紋センサとして使い分けて使用することができるものである。
尚、感圧部材１０の着脱とは、物理的に静電容量式指紋センサから取り外すということだけではなく、基板５１の検出電極５５と感圧部材１０の可撓性電極１２が対向しない状態に配置することをも意味する。
【００２９】
次に、感圧部材１０の他の使用態様について、図６および図７を用いて説明する。
筐体２０は略直方体形状をしており、上部中央には平面視略正方形状の凹部２１が形成されている。筐体２０の上面であって凹部２１の一辺の外側には、２つの係合孔２２が形成されており、対向する他辺の外側には、係止部材３０がヒンジ３２によって筐体２０に連結されている。係止部材３０は、平板状に形成されており、中央部には略正方形状の開口部３３が形成されている。係止部材３０の一端は、ヒンジ３２により筺体２０に回動自在に連結されており、他端には筐体２０の係合孔２２に係合する２つのフック３１が形成されている。筐体２０の凹部２１には、静電容量式指紋センサ５０の基板５１が配置されており、その基板５１上には前述の感圧部材１０が載置される。基板５１上に感圧部材１０を載置後、係止部材３０のフック３１を筐体２０の係合孔２２に係合することによって、感圧部材１０が筐体２０に固定され、感圧式指紋センサ８１が構成される。
【００３０】
この状態で、係止部材３０側から感圧部材１０に指を押圧すると、可撓性フィルム１１および可撓性電極１２は、基板５１側へ変形する。その際、指の凸部に対応する感圧部材１０の押圧領域１５は大きく撓み、指の凹部に対応する感圧部材１０の押圧領域１５は撓まない。ここで、上述のように、列配線駆動部５６および容量検出回路５７を駆動させることにより、指の凹凸を静電容量の変化として検出することができる。
尚、フック３１を解除し、ヒンジ３２にて係止部材３０を回動した後、感圧部材１０を基板２１から取り外すことによって、静電容量式指紋センサとしても使用することができる。
【００３１】
次に、感圧部材１０のその他の使用態様について、図８を用いて説明する。
この使用態様においては、前述の使用態様と同様の構成の筐体２０および係止部材３０を有しているが、感圧部材１０が係止部材３０に取り付けられている点が、前述の使用態様と異なる。すなわち、図８に示すように、係止部材３０の下面には、可撓性フィルム１１と可撓性電極１２とからなる感圧部材１０と、支持部材１３とが取り付けられている。係止部材３０のフック３１を筐体２０の係合孔２２に係合することによって、感圧部材１０が基板５１の上部に配置され、筐体２０に固定され、感圧式指紋センサ８２が構成される。
【００３２】
この状態で、係止部材３０側から感圧部材１０に指を押圧すると、可撓性フィルム１１および可撓性電極１２は、基板５１側へ変形する。その際、指の凸部に対応する感圧部材１０の押圧領域１５は大きく撓み、指の凹部に対応する感圧部材１０の押圧領域１５は撓まない。ここで、上述のように、列配線駆動部５６および容量検出回路５７を駆動させることにより、指の凹凸を静電容量の変化として検出することができる。
尚、フック３１を解除し、ヒンジ３２にて係止部材３０を回動することによって、感圧部材１０は基板５１から取り外された状態になり、静電容量式センサとしても使用することができる。
【００３３】
[第２の実施形態]
次に、本発明の第２の実施形態について、図９および図１０を用いて説明する。
この感圧部材４０は、第１実施形態の感圧部材１０と同様に可撓性フィルム１１とその一面側に形成された可撓性電極１２とから構成されている。第２の感圧部材４０は帯状に形成されており、使用前の状態においてはロール状に巻回されている。一対の支持体４１，４２から構成される支持部材は、感圧部材４０を支持および巻き取るためのものである。支持体４１，４２は一面に開口部４６を有する略直方体状に形成されるとともに、図示略の回転機能を備えるリール機構が設けられている。支持体４１，４２の下部には、それぞれ２つずつのフック４３が形成されており、このフック４３によって支持体４１，４２は筐体２２に取り付けられている。ロール状に巻回された感圧部材４０は第１支持体４１のリール機構の軸部４４に回転可能に取り付けられているとともに、その一端は第２支持体４２のリール機構の軸部４５に回転可能に取り付けられている。
【００３４】
筐体２０の上部中央には凹部２１が形成されており、凹部２１には上述の静電容量式指紋センサ５０の基板５１が配置されている。筐体２２の上面には、凹部２１を挟むように２つの孔からなる第１係合孔４７と第２係合孔４８が設けられている。また、第１係合孔４７の外側には２つの固定孔４９が設けられている。第１支持体４１のフック４３を筐体２２の固定孔４９に係合し、第２支持体４２のフック４３を第２係合孔４８に係合することによって、感圧部材４０が筐体２２の凹部２１に配置された基板５１に対向して配置され、感圧式指紋センサ８３が構成される。
【００３５】
この状態で、感圧部材４０を基板５１側へ指で押圧すると、可撓性フィルム１１および可撓性電極１２は、基板５１側へ変形する。このとき、指の凸部に対応する感圧部材４０の感圧領域１５は大きく撓み、指の凹部に対応する感圧部材４０の感圧領域１５は撓まない。ここで、上述のように、列配線駆動部５６および容量検出回路５７を駆動させることにより、指の凹凸を静電容量の変化として検出することができる。
指紋を検出した後、図示略のリール機構によって感圧部材４０の指紋が付着した領域を巻き取り、指紋が付着していない領域を基板５１に対向する位置に移動させることによって、再び指紋検出を行うことができる。このとき、感圧部材４０の指紋が付着した領域は、第２支持体４２の中に巻回されるため、指紋が外部から読み取られる虞はない。
尚、第２支持体４２のフック４３を第２係合孔４８から取り外し、第１係合孔４７に取り付けることによって、感圧部材４０を基板５１に対向した位置から取り除くことができ、静電容量式指紋センサとしても使用することが可能になる。
【００３６】
[第３の実施形態]
次に、本発明の第３の実施形態である指紋センサモジュールについて、図１１を用いて説明する。
本実施形態の指紋センサモジュール６０は、静電容量式指紋センサ５０の基板５１が載置されるとともに感圧部材６１を支持する突出部６２が形成された支持部材となる支持台６３と、その感圧部材６１を基板５１上に順次送り出すためにその支持台６３を挟むように配置された一対のリール６４，６５からなる送出機構６６と、使用済みの感圧部材６１を読み取り不能にする読取不能手段６７が設けられている。
【００３７】
一対のリール６４，６５は、図示略の回動機構の軸受６８，６９によって筐体７０に回動自在に取り付けられている。一対のリール６４，６５には、帯状の可撓性フィルム１１とその一面側に形成された可撓性電極１２とからなる帯状の感圧部材６１が巻回されており、一対のリール６４，６５が回転することによって、感圧部材６１が第１リール６４から第２リール６５に送り出される。基板５１に対向して配置された感圧部材６１は、支持台６３の端部に形成されている１対の突出部６２および一対のリール６４，６５によって基板５１側とは反対側に張力が与えられている。支持台６３と第２リール６５の間には、パンチング機構６７からなる読取防止機構が設けられており、使用済みの感圧部材６１の一部に穴を開けて、感圧部材６１に付着した指紋情報を読み取り不能にする。
【００３８】
指紋センサモジュール６０を使用する場合には、上述のように指紋センサモジュール６０を構成し、指で感圧部材６１を押圧することによって、感圧部材６１の可撓性電極１２と基板５１に設けられた検出電極５５との離間距離を指の凹凸に伴って変化させる。次に、上述の通り、列配線駆動部５６および容量検出回路５７を駆動させることにより、指の凹凸を静電容量の変化として検出することができる。
また、指紋検出後には一対のリール６４，６５を回動し、感圧部材６１の指紋が付着していない領域を基板５１に対向する位置に送り出すことによって次の指紋検出が可能な状態になるとともに、感圧部材６１の移動に伴って、感圧部材６１の指紋が付着した領域は第２リール６５に巻回されて、外部からの読み取りが不能な状態にされる。尚、第２リール６５に巻回させる前に、パンチング機構７０によって感圧部材６１の指紋が付着した領域に穴を開けることによって、より確実に指紋情報を読取不能な状態にできる。
【００３９】
なお、本発明の技術範囲は上記の実施形態に限定されるものではなく、本発明の趣旨を逸脱しない範囲において種々の変更を加えることが可能である。
例えば、読取防止機構は、感圧部材に付着した指紋情報を読取不能にできればよく、薬品などで指紋情報を破壊してもよい。
【図面の簡単な説明】
【００４０】
【図１】本発明の第１実施形態の指紋センサを示す断面図である。
【図２】本発明の第１実施形態の感圧部材を示す斜視図である。
【図３】図２のＡ−Ａ’断面図である。
【図４】本発明のアクティブマトリクス型センサの構成概略図である。
【図５】本発明の第１実施形態の感圧式指紋センサの動作を説明する概略図である。
【図６】本発明の第１実施形態の感圧部材の他の使用態様を示す斜視図である。
【図７】本発明の第１実施形態の感圧部材の他の使用態様を示す断面図である。
【図８】本発明の第１実施形態の感圧部材のその他の使用態様を示す断面図である。
【図９】本発明の第２実施形態の感圧部材を示す斜視図である。
【図１０】本発明の第２実施形態の感圧部材の使用態様を示す断面図である。
【図１１】本発明の第３実施形態の指紋センサモジュールを示す断面図である。
【図１２】従来の静電容量式指紋センサを示す概略図である。
【図１３】従来の加圧式指紋センサを示す概略図である。
【符号の説明】
【００４１】
１０・・・感圧部材、１１・・・可撓性フィルム、１２・・・可撓性電極、１３・・・枠体（支持部材）、１５・・・感圧領域、２０・・・筐体、４１，４２・・・支持体（支持部材）、５０・・・静電容量式指紋センサ、５１・・・基板、５５・・・検出電極、６０・・・指紋センサモジュール、６３・・・支持台（支持部材）、６４，６５・・・リール、６７・・・パンチング機構、８０，８１，８２，８３・・・感圧式指紋センサ
【図１】
2006320484.tif 000003
【図２】
2006320484.tif 000004
【図３】
2006320484.tif 000005
【図４】
2006320484.tif 000006
【図５】
2006320484.tif 000007
【図６】
2006320484.tif 000008
【図７】
2006320484.tif 000009
【図８】
2006320484.tif 000010
【図９】
2006320484.tif 000011
【図１０】
2006320484.tif 000012
【図１１】
2006320484.tif 000013
【図１２】
2006320484.tif 000014
【図１３】
2006320484.tif 000015